(57)【要約】【課題】効果的なプレゼンテーションを実現する技術を提供することを課題とする。【解決手段】プレゼンテーション用の原稿を示すプレゼンテーション装置１であって、少なくとも一方が透明な２つのシート３Ａ〜Ｄ，４Ａ〜Ｄを、原稿が記された書類９Ａ〜Ｄを２つのシート３Ａ〜Ｄ，４Ａ〜Ｄの間で抜き差し可能なように重ねて形成した矩形のケース体２Ａ〜Ｄを少なくとも３以上備え、各ケース体２Ａ〜Ｄは、左右に並んだ状態で、或いは田型状に並んだ状態で、透明なシート３Ａ〜Ｄで構成される面が同じ方向を向き且つ隣接するケース体２Ａ〜Ｄと相対的に回動可能なように連結される。【選択図】図３
2011110858.tif 000002
【特許請求の範囲】
【請求項１】
プレゼンテーション用の原稿を示すプレゼンテーション装置であって、
少なくとも一方が透明な２つのシートを、前記原稿が記された書類を該２つのシートの間で抜き差し可能なように重ねて形成した矩形のケース体を少なくとも３以上備え、
各ケース体は、左右に並んだ状態で、透明なシートで構成される面が同じ方向を向き且つ隣接するケース体と相対的に回動可能なように連結される、
プレゼンテーション装置。
【請求項２】
プレゼンテーション用の原稿を示すプレゼンテーション装置であって、
少なくとも一方が透明な２つのシートを、前記原稿が記された書類を該２つのシートの間で抜き差し可能なように重ねて形成した矩形のケース体を少なくとも３以上備え、
各ケース体は、田型状に並んだ状態で、透明なシートで構成される面が同じ方向を向き且つ隣接するケース体と相対的に回動可能なように連結される、
プレゼンテーション装置。
【発明の詳細な説明】
【技術分野】
【０００１】
本発明は、プレゼンテーション装置に関する。
【背景技術】
【０００２】
社内の会議や打合せ、社外の顧客に対する提案プランや新製品の説明、学会での研究発表などのプレゼンテーションは、各種の資料を参照しながら進められる。これらの資料を提示するものとしては、例えば、特許文献１に開示されているように、ファイルを開いた状態で表表紙の自由端と裏表紙の自由端とを係合し、両自由端を接地させてファイルを自立させるものがある。
【先行技術文献】
【特許文献】
【０００３】
【特許文献１】特開２００１−１８５６６号公報
【発明の概要】
【発明が解決しようとする課題】
【０００４】
プレゼンテーションの善し悪しは、発表者の技量や熟練度に依るところもあるが、原稿が整理されているか否かに拠るところがある。しかし、書類等を綴じてファイリングするバインダー類だと、資料が漫然と並べられて綴じられるだけなので、起承転結に則った効果的なプレゼンテーションを行なうことが難しい。
【０００５】
本発明は、このような課題に鑑みてなされたものであり、効果的なプレゼンテーションを実現する技術を提供することを課題とする。
【課題を解決するための手段】
【０００６】
本発明は、上記課題を解決するため、プレゼンテーション用の原稿が記された書類を抜き差し可能なケース体を、透明なシートで構成される面が同じ方向を向くように３つ以上並べる。これらのケース体は、左右あるいは前後に並んでおり、隣接するケース体と相対的に回動可能なように連結される。
【０００７】
詳細には、プレゼンテーション用の原稿を示すプレゼンテーション装置であって、少なくとも一方が透明な２つのシートを、前記原稿が記された書類を該２つのシートの間で抜き差し可能なように重ねて形成した矩形のケース体を少なくとも３以上備え、各ケース体は、左右に並んだ状態で、或いは田型状に並んだ状態で、透明なシートで構成される面が同じ方向を向き且つ隣接するケース体と相対的に回動可能なように連結される。
【０００８】
プレゼンテーションでは、場面に応じた原稿がその都度用意されるため、上記プレゼンテーション装置においては、原稿が記された書類を抜き差し可能にしている。このような書類が差し込まれるケース体は、少なくとも一方が透明な２つのシートを重ねることで形成されている。このため、ユーザは、原稿がケース体の外側から読むことができるように、原稿が記された面を透明なシート側にして書類をケース体に差し込むことで、ケース体に収められた原稿をそのままの状態で読むことできる。なお、ケース体を構成する２つのシートは、何れも透明なものであってもよい。
【０００９】
上記プレゼンテーション装置は、このようなケース体が少なくとも３以上備わっており、これらが隣接するケース体と相対的に回動可能なように連結されている。更に、各ケース体は、左右あるいは前後に並んだ状態において、透明なシートで構成される面が同じ向
きを向く状態で連結されている。このため、プレゼンテーションを行なう場面においては、互いに連結されたこれらのケース体を展開することで、各ケース体に収められた全ての原稿を見渡すことができる。従って、プレゼンテーションの進行に際し、説明する内容の前後関係や進捗状況を捉えやすくなり、効果的なプレゼンテーションを実現することが可能となる。
【発明の効果】
【００１０】
効果的なプレゼンテーションを実現することが可能となる。
【図面の簡単な説明】
【００１１】
【図１】プレゼンテーション装置を示す図である。
【図２】組立前のプレゼンテーション装置を示す図である。
【図３】プレゼンテーション装置に書類を挿入する際の方法を示す図である。
【図４】プレゼンテーション装置の使用方法を示す図である。
【図５】プレゼンテーション装置の第一変形例を示す図である。
【図６】プレゼンテーション装置の第二変形例を示す図である。
【図７】プレゼンテーション装置の第一使用例を説明する図である。
【図８】プレゼンテーション装置の第二使用例を説明する図である。
【図９】プレゼンテーション装置の第三使用例を説明する図である。
【図１０】変形例に係るプレゼンテーション装置の第一使用例を説明する図である。
【図１１】変形例に係るプレゼンテーション装置の第二使用例を説明する図である。
【図１２】プレゼンテーション装置で企画を説明する際の使用例を説明する図である。
【発明を実施するための形態】
【００１２】
以下、本願発明の実施形態について説明する。以下に説明する実施形態は、本願発明の一実施態様を例示的に示すものであり、本願発明はこのような実施形態に限定されるものではない。
【００１３】
図１は、本願発明の実施形態に係るプレゼンテーション装置１を示す図である。プレゼンテーション装置１は、図１に示すように、４つのケース２Ａ〜Ｄが横に並んで連結されている。ケース２Ａ〜Ｄは、プレゼンテーションの際の原稿を書いた書類が差し込まれる部分であり、書類の正面を覆う正面シート３Ａ〜Ｄ、及び書類の背面を覆う背面シート４Ａ〜Ｄによって構成されている。
【００１４】
図２は、組立前のプレゼンテーション装置１を示す図である。プレゼンテーション装置１は、図２に示すように、１枚の透明なシート部材５を折り曲げて組み立てられている。シート部材５は、１区画の大きさをＡ４版程度の大きさにした領域６Ａ〜Ｄ−Ｆ，Ｒの８区画に区切られている。領域６Ａ−Ｆが正面シート３Ａを構成し、領域６Ａ−Ｒが背面シート４Ａを構成する。領域６Ｂ〜Ｄ−Ｆについても領域６Ａ−Ｆと同様に正面シート３Ｂ〜Ｄを構成し、領域６Ｂ〜Ｄ−Ｒについても領域６Ｂ〜Ｄ−Ｒについても領域６Ａ−Ｒと同様に背面シート４Ｂ〜Ｄを構成する。
【００１５】
なお、領域６Ａ〜Ｄ−Ｆ，Ｒのそれぞれの境界には折り目が入れられている。すなわち、図２に示されるように、領域６Ａ−Ｆと領域６Ａ−Ｒとの間には折り目７Ａ−ＦＲが入れられている。領域６Ｂ〜Ｄ−Ｆと領域６Ｂ〜Ｄ−Ｒとの間にも、領域６Ａ−Ｆと領域６Ａ−Ｒとの間と同様、折り目７Ｂ〜Ｄ−ＦＲが入れられている。また、領域６Ａ−Ｒと領域６Ｂ−Ｒとの間には折り目７ＡＢ、領域６Ｂ−Ｒと領域６Ｃ−Ｒとの間には折り目７ＢＣ、領域６Ｃ−Ｒと領域６Ｄ−Ｒとの間には折り目７ＣＤが入れられている。なお、図２に示されるように、領域６Ａ−Ｆと領域６Ｂ−Ｆとの間、領域６Ｂ−Ｆと領域６Ｃ−Ｆと
の間、領域６Ｃ−Ｆと領域６Ｄ−Ｆとの間には折り目が設けられていない代わりに切り欠き８ＡＢ，ＢＣ，ＣＤがそれぞれ入れられている。
【００１６】
プレゼンテーション装置１の組み立てに際しては、折り目７Ａ−ＦＲを基準に領域６Ａ−Ｆと領域６Ａ−Ｒとを重ね合わせ、図２の符号Ａで示される部分で両者をミシン目状に溶着することにより、上方と右方とが開放されたケース２Ａが形成される。ケース２Ｂ〜Ｄについてもケース２Ａと同様にして組み立てられるが、ケース２Ｃとケース２Ｄに関しては、図２の符号Ｃ、Ｄで示される部分でミシン目状に溶着されるため、上方と左方とが開放された状態で形成される。
【００１７】
このように構成されるプレゼンテーション装置１は、次のようにして使用する。図３は、プレゼンテーション装置１にプレゼンテーション用の原稿を記した書類を挿入する際の方法を示した図である。プレゼンテーション装置１を使用する際は、図３に示すように、正面シート３Ａ〜Ｄを開いて書類９Ａ〜Ｄをケース２Ａ〜Ｄに入れる。このとき入れる書類９Ａ〜Ｄは、プレゼンテーションを行なう際の順序に沿っていることが好ましく、例えば、ケースＡからケースＤまで順に起承転結の順序で書類９Ａ〜Ｄを入れると使い勝手が良い。すなわち、プレゼンテーションを行なう場面において、互いに連結されたケースＡからケースＤを全て展開することにより、ケースＡ〜Ｄに収められた全ての原稿を見渡すことができるので、プレゼンテーションで説明する内容の前後関係や進捗状況を捉えやすくなり、効果的なプレゼンテーションを実現することが可能となる。
【００１８】
書類９Ａ〜Ｄをケース２Ａ〜Ｄに入れたら、図４に示されるように、折り目７ＡＢ，ＢＣ，ＣＤを基準にケース２Ａ〜Ｄを重ね合わせることでプレゼンテーション装置１をコンパクトにすることができる。よって、移動や保管の際に邪魔になることが無いので使い勝手が良い。
【００１９】
なお、上記実施形態に係るプレゼンテーション装置１は、４つのケース２Ａ〜Ｄを設けていた。しかし、本発明は、このような実施形態に限定されるものではない。例えば、図５に示すプレゼンテーション装置１’のように、ケース２Ｄを省き、３つのケース２Ａ〜Ｃで構成してもよい。或いは、ケースを５つ以上並べても良い。少なくとも３以上のケース２Ａ〜Ｃで構成していれば、プレゼンテーションで説明する内容の前後関係や進捗状況を捉えやすくなり、効果的なプレゼンテーションを実現することが可能となる。
【００２０】
また、上記実施形態に係るプレゼンテーション装置１は、４つのケース２Ａ〜Ｄを横に並べて連結した状態に構成していたが、図６に示すプレゼンテーション装置１”のように、前に２つのケース２Ａ，Ｂを並べ、後ろに２つのケース２Ｃ，Ｄを並べて連結した２段の田型状に構成してもよい。或いは、３段以上の田型状に構成しても良い。ケースが前後に並んでいる場合も、ケースが左右に並んでいる場合と同様、プレゼンテーションで説明する内容の前後関係や進捗状況を捉えやすくなり、効果的なプレゼンテーションを実現することが可能となる。
【００２１】
以下、上記実施形態に係るプレゼンテーション装置１の第一使用例について説明する。図７は、上記実施形態に係るプレゼンテーション装置１の第一使用例を示す図である。本第一使用例は、プレゼンテーション用の原稿が正面シート側のみ見えるように原稿の書類を各ケース２Ａ〜Ｄに差し込んだ場合の使用例である。プレゼンテーション装置１は、４つのケース２Ａ〜Ｄを備えているため、原稿を正面シート側のみ見えるようにした場合、全原稿は４つに区画されることになる。ここで、プレゼンテーション用の原稿が「起・承・転・結」の４項目に渡って展開されている場合、図７に示すように、ケース２Ａについては「起」、ケース２Ｂについては「承」、ケース２Ｃについては「転」、ケース２Ｄについては「結」となるように原稿を整理することができる。従って、プレゼンテーション
で説明する内容の前後関係や進捗状況を捉えやすくなり、効果的なプレゼンテーションを実現することが可能となる。
【００２２】
次に、上記プレゼンテーション装置１の第二使用例について説明する。図８は、プレゼンテーション装置１の第二使用例を示す図である。本第二使用例は、プレゼンテーション用の原稿が正面シート側のみならず、背面シート側も見えるように原稿の書類を各ケース２Ａ〜Ｄに差し込んだ場合の使用例である。プレゼンテーション装置１は、４つのケース２Ａ〜Ｄを備えている。ここで、プレゼンテーション用の原稿を、ケース２Ａ，２Ｄの正面シート側および背面シート側の両面、及びケース２Ｂ，２Ｃの正面シート側の計６面から見えるように差し込む。例えば、図８に示されるように、ケース２Ａの背面側が「起」、ケース２Ａ及びケース２Ｂの正面側が「承」、ケース２Ｃ及びケース２Ｄの正面側が「転」、ケース２Ｄの背面側が「結」となるように原稿を整理することができる。このように、プレゼンテーション用の原稿を６区画に渡って配置すれば、説明する内容の量に応じた原稿の整理ができるので、プレゼンテーションの進行に際し、説明する内容の前後関係や進捗状況を捉えやすくなり、効果的なプレゼンテーションを実現することが可能となる。特に、ケース２Ａを閉じた状態から開いた状態へ遷移させると、次に読むべき原稿が目に飛び込んでくるので、プレゼンテーションの内容を視覚的に印象付けることが可能であり、効果的なプレゼンテーションを実現することができる。
【００２３】
次に、上記プレゼンテーション装置１の第三使用例について説明する。図９は、プレゼンテーション装置１の第三使用例を示す図である。本第三使用例は、プレゼンテーション用の原稿が正面シート側と背面シート側の全てから見えるように原稿の書類を各ケース２Ａ〜Ｄに差し込んだ場合の使用例である。本第三使用例では、プレゼンテーション用の原稿を、ケース２Ａ〜Ｄの正面シート側および背面シート側の計８面から見えるように差し込む。例えば、図９に示されるように、ケース２Ａ，２Ｂの背面側が「起」、ケース２Ａ及びケース２Ｂの正面側が「承」、ケース２Ｃ及びケース２Ｄの正面側が「転」、ケース２Ｄ，２Ｃの背面側が「結」となるように原稿を整理することができる。このように、プレゼンテーション用の原稿を８区画に渡って配置すれば、更に多くの内容の原稿でもその量に応じた原稿の整理ができるので、プレゼンテーションで説明する内容の前後関係や進捗状況を捉えやすくなり、効果的なプレゼンテーションを実現することが可能となる。
【００２４】
次に、上記実施形態の変形例に係るプレゼンテーション装置１”の第一使用例について説明する。図１０は、上記実施形態に係るプレゼンテーション装置１”の第一使用例を示す図である。本使用例は、プレゼンテーション用の原稿が正面シート側のみ見えるように原稿の書類を各ケース２Ａ〜Ｄに差し込んだ場合の使用例である。プレゼンテーション装置１”は、４つのケース２Ａ〜Ｄを備えているため、原稿を正面シート側のみ見えるようにした場合、全原稿は４つに区画されることになる。ここで、プレゼンテーション用の原稿が「起・承・転・結」の４項目に渡って展開されている場合、図１０に示すように、ケース２Ａについては「起」、ケース２Ｂについては「承」、ケース２Ｃについては「転」、ケース２Ｄについては「結」となるように原稿を整理することができる。従って、プレゼンテーションで説明する内容の前後関係や進捗状況を捉えやすくなり、効果的なプレゼンテーションを実現することが可能となる。
【００２５】
次に、上記実施形態の変形例に係るプレゼンテーション装置１”の第二使用例について説明する。図１１は、上記実施形態に係るプレゼンテーション装置１”の第一使用例を示す図である。本使用例は、プレゼンテーション用の原稿が正面シート側のみ見えるように原稿の書類を各ケース２Ａ〜Ｄに差し込んだ場合の使用例である。プレゼンテーション装置１”は、４つのケース２Ａ〜Ｄを備えているため、原稿を正面シート側のみ見えるようにした場合、全原稿は４つに区画されることになる。ここで、プレゼンテーション用の原稿が「起・承・転・結」の４項目に渡って展開されている場合、図１０に示すように、ケ
ース２Ａについては「起」、ケース２Ｂについては「承」、ケース２Ｃについては「転」、ケース２Ｄについては「結」となるように原稿を整理することができる。従って、プレゼンテーションで説明する内容の前後関係や進捗状況を捉えやすくなり、効果的なプレゼンテーションを実現することが可能となる。
【００２６】
次に、上記プレゼンテーション装置１”の第二使用例について説明する。図１１は、プレゼンテーション装置１”の第二使用例を示す図である。本第二使用例は、プレゼンテーション用の原稿が正面シート側と背面シート側の全てから見えるように原稿の書類を各ケース２Ａ〜Ｄに差し込んだ場合の使用例である。本第二使用例では、プレゼンテーション用の原稿を、ケース２Ａ〜Ｄの正面シート側および背面シート側の計８面から見えるように差し込む。例えば、図１１に示されるように、ケース２Ｃ，２Ｄの背面側が「起」、ケース２Ａ，２Ｂの正面側が「承」、ケース２Ｂ，２Ｄの正面側が「転」、ケース２Ａ，２Ｂの背面側が「結」となるように原稿を整理することができる。このように、プレゼンテーション用の原稿を８区画に渡って配置すれば、更に多くの内容の原稿でもその量に応じた原稿の整理ができるので、プレゼンテーションで説明する内容の前後関係や進捗状況を捉えやすくなり、効果的なプレゼンテーションを実現することが可能となる。
【００２７】
なお、上記各使用例は、使用方法を例示したものであり、上記実施形態や変形例は、このような使用方法に限定されるものではない。原稿の内容に応じた使用方法を適宜用いることが可能である。
【００２８】
例えば、上記プレゼンテーション装置１は、次のようなプレゼンテーションを行なう際に極めて有用である。以下に示す使用例は、企業が顧客等に対して新規な企画のプレゼンテーションを行う場合を前提にしている。以下、新規な企画のプレゼンテーションを行う際の使用例を図１２に沿って説明する。
【００２９】
新規な企画のプレゼンテーション用の原稿を、各ケースに差し込む。ここで、各ケースと原稿との対応関係は以下の通りになるようにする。
（１）表紙：ケース２Ｂの背面側
（２）背景：ケース２Ａの背面側
（３）目的：ケース２Ｄの背面側
（４）方法：ケース２Ａの正面側
（５）スケジュール：ケース２Ｂの正面側
（６）予算：ケース２Ｃの正面側
（７）人員：ケース２Ｄの正面側
（８）参考資料：ケース２Ｃの背面側
【００３０】
ここで、「（１）表紙」には、企画書の提出先の企業名や企画のタイトル、サブタイトル、企画者（社）名が記載されている。図１２（ａ）は、表紙が見えるときのプレゼンテーション装置１の状態を示している。このような事項が記載された表紙が最初に目に飛び込むことで、プレゼンテーション装置１の内容を大まかに推測することができ、企画内容に興味を抱かせることができる。
【００３１】
この状態からケース２Ｂを左へ開くと、図１２（ｂ）に示すように、「（２）背景」と「（３）目的」が目に飛び込むことになる。なお、「（２）背景」には、本企画を構築・提案するための諸々の背景が整理され、明確化されている。よって、プレゼンテーションを受けている顧客は、企画の意図を明確に把握できる。また、「（３）目的」には、本企画の企画意図・目的が明示されている。よって、顧客は、企画に対する期待感や方向性を企画者と共有できる。プレゼンテーション装置１が図１２（ａ）から図１２（ｂ）の状態に遷移することにより、顧客は、プレゼンテーションの内容を大まかに把握することとな
り、顧客の興味がより深い方へ段階的に誘導されることとなる。
【００３２】
ここで、ケース２Ａを左へ開くと、図１２（ｃ）に示すように、より具体的な企画の内容が記載された「（４）方法」や「（５）スケジュール」が目に飛び込んでくることになる。よって、顧客は、プレゼンテーションの内容を大まかに把握したところで、より具体的な内容の理解をする段階へ誘導されることとなる。ここで、「（４）方法」には、企画の目的に寄与するためのコンセプトを元に、主要な技法・手段が記載されており、企画を具現化するために必要なツールが明示されている。また、「（５）スケジュール」には、本企画を遂行するための流れが時間軸を持って説明されている。プレゼンテーションがこのような具体的な話に移行することで、顧客の心理状態を単に興味を抱いた状態から企画の具体化という確信的な状態へ遷移させることができる。
【００３３】
ここで、ケース２Ｄを右へ開くと、図１２（ｄ）に示すように、企画を実行するために要する「（６）予算」や「（７）人員」が目に飛び込んでくることになる。よって、顧客は、プレゼンテーションの内容を具体的に把握し、企画の内容を完全に把握したところで、企画を実行するために必要な事項を把握する段階へ誘導されることになる。ここで、「（６）予算」には、本企画を遂行するために必要な収支計画を明示されている。また、「（７）人員」には、本企画を遂行するために必要な人員構成および配置について明示されている。よって、顧客が企画の内容を理解し、完全に納得した段階で、この企画を遂行するために必要な事項の話に移行することで、最終的にこの企画を採用するかどうかの判断を行なうために必要な判断材料が提示されることとなる。なお、プレゼンテーション装置１を閉じると、最後に「（８）参考資料」が顧客の目に飛び込んでくるようになっている。ここには、本企画を立案・実施するにあたっての資料の出所およびデータが明示されているので、顧客が企画の内容について問い合わせ等を容易に行なえる。
【００３４】
プレゼンテーション装置１をこのように使えば、パソコンやプロジェクター等の電子機器を用いなくても、企画の内容を説明した資料の内容が見開き操作によって段階的に顧客の目に飛び込んでくるようになるので、顧客の興味を惹きつけながら徐々に確信的な事項の説明に移行することができる。すなわち、上記のように、プレゼンテーションを８部構成の資料で進めることで、１）企画書に必要な最低限の構成要素を網羅し、かつ情報を整理することが可能となり、２）企画書をモジュール化することができ、企画構成にかかる労力の削減が可能となり、３）企画書を上記のとおりパターン化することにより、社員の誰がクライアントに対してプレゼンテーションを行なっても、プレゼンテーションのクオリティを一定の水準にすることができる、等の効果が期待できる。
【００３５】
例えば、株式運用のコンサルティングでは、機関投資家に対するヒアリング・ミーティングにおいて、機関投資家に対して“エレベータの移動中に、投資家に説明できるくらい、正しいことをわかりやすく”説明するということが必須とされていますが、プレゼンテーション装置１を使ってこのような８部構成の資料でプレゼンテーションを行うと、最短３分程度でプレゼンテーションが可能となるので極めて有用である。
【００３６】
その他の使用例として、例えば、葬儀の準備資料を説明する際に使用する場合などが挙げられる。葬儀の際に用いる祭壇や供花等を複数種類の中から選ぶような場合、遺族は、限られた時間内に速やかに選択することが求められる。このような場合に、葬儀の準備や進行を行う葬儀社の担当者が、上記プレゼンテーション装置１を用いて段階的に葬儀の具体的な内容を説明すれば、遺族は、葬儀を行なう上で決定すべき事項を容易に把握し、短時間で決定することができる。
【符号の説明】
【００３７】
１，１”・・プレゼンテーション装置
２Ａ〜Ｄ・・ケース
３Ａ〜Ｄ・・正面シート
４Ａ〜Ｄ・・背面シート
５・・シート部材
６Ａ〜Ｄ−Ｆ，Ｒ・・領域
７Ａ〜Ｄ−ＦＲ，７ＡＢ，７ＢＣ，ＣＤ・・折り目
８ＡＢ，８ＢＣ，８ＣＤ・・切り欠き
９Ａ〜Ｄ・・書類
【図１】
2011110858.tif 000003
【図２】
2011110858.tif 000004
【図３】
2011110858.tif 000005
【図４】
2011110858.tif 000006
【図５】
2011110858.tif 000007
【図６】
2011110858.tif 000008
【図７】
2011110858.tif 000009
【図８】
2011110858.tif 000010
【図９】
2011110858.tif 000011
【図１０】
2011110858.tif 000012
【図１１】
2011110858.tif 000013
【図１２】
2011110858.tif 000014